(57)【要約】      （修正有）【課題】ＩＤチップ付きの送信器を持った人（被看護者）を識別して検知し、看護者等に報知する人を識別するセンサを提供する。【解決手段】送信回路と電池を組み込んだＩＤチップにより、微弱な無線信号を連続又は断続して発信する、送信器２を人(被看護者)に携帯させる。居室等に該送信器が所定距離以内に近づくと検知信号を出力する第一受信器４と、該第一受信器から所定距離以内に設置された離床センサ３と、該離床センサに被看護者が接触したときの接点信号を受信して検知信号を出力する第二受信器５を配置する。前記第一受信器４及び第二受信器５が同時に検知信号を出力したときに、ＩＤ情報を含む制御信号を制御部６から送信し報知器等で看護者に報知する。【選択図】図２
0003178369.tif 000002
【実用新案登録請求の範囲】
【請求項１】
送信回路と電池を組み込んだＩＤチップにより、微弱な無線信号を連続又は断続して発信する、人に装着された送信器と、該送信器が所定距離以内に近づくと検知信号を出力する第一受信器と、該第一受信器から所定距離以内に設置された離床センサと、該離床センサに人が接触したときの接点信号を受信して検知信号を出力する第二受信器が配置されており、前記第一受信器及び第二受信器が同時間帯に検知信号を出力したときに、ＩＤ情報を含む制御信号を送信する制御部が設けられていることを特徴とする人を識別するセンサ。
【請求項２】
送信回路と電池を組み込んだＩＤチップにより、微弱な無線信号を連続又は断続して発信する、人に装着された送信器と、該送信器が所定距離以上離隔すると検知信号を出力する第一受信器が配置されており、前記第一受信器が検知信号を出力したときに、ＩＤ情報を含む制御信号を送信する制御部が設けられていることを特徴とする人を識別するセンサ。
【請求項３】
前記第一受信器が複数設けられていることを特徴とする請求項１又は２に記載の人を識別するセンサ。
【請求項４】
前記第一受信器、第二受信器又は制御部の少なくとも何れかが、端末機器への信号伝達・制御を行なうコンソールに組み込まれていることを特徴とする請求項１〜３のいずれかに記載の人を識別するセンサ。
【考案の詳細な説明】
【技術分野】
【０００１】
本考案は、自宅や介護施設等において、被看護者の行動を識別して看護者等に報知する、人を識別するセンサに関するものである。
【背景技術】
【０００２】
自宅や介護施設等における被看護者の看護は、長時間に亘って被看護者の行動を把握する必要がある。特に、被看護者の注意すべき行動として、ベッド等の寝具からの離床や俳諧等を直ちに把握することが重要であるが、看護者にとって長時間に亘る看護は精神的、肉体的に非常に大きな負担となっている。そこで、これらを軽減するために様々な介護支援装置が提案されている。
【０００３】
例えば、本出願人は、家庭や介護施設等において被看護者の身辺に設置する離床センサとして、荷重検知センサ（特許文献１参照）、コードレス荷重検知センサ（特許文献２参照）、寝具から人が離床したことを識別する識別装置（特許文献３参照）、枕センサ（特許文献４参照）、トイレセンサ（特許文献５参照）等を開発している。また、ＲＦＩＤ機能を有する送信機を用いた様々な徘徊監視システムが開示されている（特許文献６、７，８参照）。
【先行技術文献】
【特許文献】
【０００４】
【特許文献１】実用新案登録第３１７０３９６号公報
【特許文献２】特許登録第４４１４４６５号公報
【特許文献３】実用新案登録第３１６６８８２号公報
【特許文献４】実用新案登録第３１４４８９２号公報
【特許文献５】実用新案登録第３１７１４８８号公報
【特許文献６】特開２００２−３１９０８３号公報
【特許文献７】特開２００６−２８５５２０号公報
【特許文献８】特開平１０−１４３７７２号公報
【考案の概要】
【考案が解決しようとする課題】
【０００５】
本出願人が開発した離床センサは、荷重検知センサを用いたもので、人が離床センサを踏めば、離床センサに内蔵された送信器から接点信号が送出され、これを受信器が受信して検知信号が出力される。この検知信号により前記離床センサを人が踏んだことを報知器等で報知することができる。ところが、この離床センサは、被看護者以外の他者（例えば、看護者や訪問者）が踏んだときでも接点信号が送信されるため、被看護者と被看護者以外の人を識別することが困難であった。
【０００６】
一方、特許文献６の徘徊防止システムは、ＩＣタグを持った送信機を靴に装着したものであるため、ＩＣタグを装着していない他の履物や素足で居室から出た認知症患者の検知はできないという問題があった。また、特許文献７の徘徊監視装置は、監視対象者の居室内の行動パターンを２つ以上の受信機で受信した信号を生成して制御信号を発するものであり、その構成及び監視目的が本考案とは相違したものである。さらに、特許文献８の監視システムは、監視する特定エリアの境界に微弱電波漏洩同軸ケーブルを敷設し、携帯側装置の受信機がこの電波を受信した時のみ、被監視対象者が特定エリアの境界付近に接近したことを通知するものであり、監視対象エリアの全周囲に前記漏洩同軸ケーブルを敷設しなければならず、敷設工事が面倒であった。
【０００７】
人にＲＦＩＤと呼ばれるＩＣチップ（ＩＣタグ）を装着して識別する商品は既に実用化されており、スキー場、レンタルショップ及び量販店等で製品として使用されている。しかし、この商品を病院や老人介護施設等の療養施設で使用すると、ＲＦＩＤは励磁に非常に強い電磁波を使用するため、医療機器やペースメーカーに悪影響を与える。
【０００８】
通常、ＲＦＩＤは電池等の電源を持たず、送受信機からの送電（励磁用電磁波＝強い電磁波）を受けて、ＲＦＩＤ内のコイルを励磁して起電力が発生し、これを電源としてＩＤ回路が作動してＩＤ信号を送信するように構成されている。このＩＤ信号を受信機が受信して識別する仕組みとなっている。この様な構成のＲＦＩＤは、コイルを励磁するための強い電磁波を出力する必要があり、これを使用すると医療環境では医療機器や心臓ペースメーカーに悪影響があるため、使用することができないという問題点がある。
【０００９】
本考案は、これらの課題を解決するために成されたものであり、離床センサと、送信回路と電池を組み込んだＩＤチップより成る送信器を組み合わせることにより、前記送信器を装着した人（被看護者）を識別して看護者等に報知する、人を識別するセンサを提供することを目的としている。
【課題を解決するための手段】
【００１０】
本考案において、人を識別するセンサとは、センサ単体を意味するものではなく、特定の人をセンサで識別する装置と定義する。本考案の人を識別するセンサの原理は以下の通りである。
【００１１】
図１（ａ）に示すように、薄く非常に小型で微弱な無線信号を連続又は断続して発信する送信器と、該送信器の信号を受信する受信器を設置する。この送信器と受信器は概ね３ｍ以内の範囲で通信可能である。例えば、送信器から３ｍ以内の距離では受信器は常に送信器からの微弱な無線信号を受信することが可能であり、前記受信器は受信していることを示す出力信号を出している。一方、図１（ｂ）に示すように、送信器と受信器が通信できない距離、例えば、送信器と受信器が３ｍ以上離隔した場合は、受信器は前記送信器からの信号を受信できないため、受信器から出力信号は出なくなる。なお、前記送信器と受信器の通信可能距離を何ｍにするかは出願人の設計事項である。
【００１２】
この送信器を被看護者の身体部位に装着すれば、離床センサを踏んだ人が被看護者か他者（例えば、看護者や訪問者）なのかを識別することができる。この原理を応用すれば、前記送信器を身体に装着した被看護者が、受信器から所定距離以内に近づいたとき、又は受信器から所定距離以上離隔したときに受信器からの出力信号の有無を検知するように設計することができる。この出力信号の有無を利用して前記送信器を装着した被看護者を識別する、人を識別するセンサを作製することができる。
【００１３】
本考案の請求項１にかかる人を識別するセンサは、送信回路と電池を組み込んだＩＤチップにより、微弱な無線信号を連続又は断続して発信する送信器を人（被看護者）に携帯させ、該送信器が所定距離以内に近づくと検知信号を出力する第一受信器と、該第一受信器から所定距離以内に設置された離床センサと、該離床センサに被看護者が接触したときの接点信号を受信して検知信号を出力する第二受信器が配置されている。そして、前記第一受信器及び第二受信器が同時間帯に検知信号を出力したときに、ＩＤ情報を含む制御信号を送信する制御部が設けられていることを特徴としている。
【００１４】
このように構成すれば、送信器を装着した被看護者が離床センサを踏むと、検知信号が第二受信器から送信される。一方、第一受信器と離床センサ間は通信可能な距離（例えば、３ｍ以内）に設置されているので、前記送信器と前記第一受信器の距離も通信可能な距離となり検知信号が第一受信器から送信される。制御部は、前記第一受信器及び第二受信器が同時間帯に検知信号を出力したときに、ＩＤ情報を含む制御信号を報知器等に送信する。これにより、看護者等は送信器を装着した被看護者の離床又は徘徊等の行動を直ぐに把握することができる。
【００１５】
本考案の請求項２にかかる人を識別するセンサは、送信回路と電池を組み込んだＩＤチップにより、微弱な無線信号を連続又は断続して発信する、人に装着された送信器と、該送信器が所定距離以上離隔すると検知信号が途絶する第一受信器が配置されており、前記第一受信器の検知信号が途絶したときに、ＩＤ情報を含む制御信号を送信する制御部が設けられていることを特徴としている。
【００１６】
このように構成すれば、送信器を装着した被看護者が第一受信器から３ｍ以上離隔すると、第一受信器から制御部への検知信号が途絶する。制御部は、前記第一受信器からの検知信号の途絶に基づいて、ＩＤ情報を含む制御信号を報知器等に送信する。これにより、看護者等は送信器を装着した被看護者の離床又は徘徊等の行動を直ぐに把握することができる。
【００１７】
本考案の請求項３にかかる人を識別するセンサは、前記第一受信器が複数設けられていることを特徴としている。例えば、前記第一受信器を被看護者のベッド、ベッド下、枕、居室出入口、階段下、エレベータ前、勝手口、トイレ又は玄関等に設置しておけば、自宅や介護施設等において送信器を装着した被看護者の行動を直ぐに把握することができる。
【００１８】
本考案の請求項４にかかる人を識別するセンサは、前記第一受信器、第二受信器又は制御部の少なくとも何れかが、端末機器への信号伝達・制御を行なうコンソールに組み込まれていることを特徴としている。このように構成すれば、コンソールを用いたナースコールシステム、ケーブル式及びコードレス離床センサ装置、枕センサ装置、トイレセンサ装置等にも適用することができるので、自宅や介護施設等において送信器を装着した被看護者の行動を直ぐに把握することができる。
【考案の効果】
【００１９】
本考案の人を識別するセンサは、送信回路と電池を組み込んだＩＤチップにより、微弱な無線信号を連続又は断続して発信する送信器を人に装着することにより、送信器を装着した被看護者のみを識別して、ＩＤ情報を含む制御信号を報知器等に報知することができるので、これを被看護者のベッド、ベッド下、枕、居室出入口、階段下、エレベータ前、勝手口、トイレ又は玄関などベッド、ベッド下、居室出入口、エレベータ昇降口、トイレ、勝手口又は階段下などに設置すれば、看護者はＩＤ情報で識別された被看護者の行動を直ぐに把握することができる。また、この人を識別するセンサを、コンソールを用いたナースコールシステム、ケーブル式及びコードレス離床センサ装置、枕センサ装置、トイレセンサ装置に適用すれば、自宅や介護施設等において被看護者の行動を直ぐに把握することができる。
【図面の簡単な説明】
【００２０】
【図１】人を識別するセンサの原理を示すものであり、（ａ）は送信器と受信器が所定距離以内にある場合、（ｂ）は送信器と受信器が所定距離以上離隔した場合を示す説明図である。
【図２】本考案の人を識別するセンサの、実施形態の一例を示すブロック図である。
【図３】本考案の人を識別するセンサの、他の実施形態を示すブロック図である。
【図４】本考案の制御部における、検知信号処理手順を示すフロー図である。
【図５】本考案のＩＤチップの実施形態の一例を示すブロック図である。
【図６】本考案の第一受信器の実施形態の一例を示すブロック図である。
【図７】本考案の人を識別するセンサを用いた被看護者監視装置の実施形態の一例を示すブロック図である。
【図８】本考案の人を識別するセンサを用いた、被看護者監視装置の他の実施形態を示すブロック図である。
【図９】本考案の人を識別するセンサを用いた、被看護者監視装置の他の実施形態を示すブロック図である。
【図１０】本考案のコンソールの実施形態の一例を示すブロック図である。
【図１１】本考案の人を識別するセンサを複数個設けた状態を示す模式図である。
【図１２】本考案の送信器の実施形態の一例を示したもので、（a）は斜視図、（b）は側面図である。
【図１３】本考案の送信器の他の実施形態を示したもので、（a）は斜視図、（b）はベルト締結手段を示す斜視図である。
【考案を実施するための形態】
【００２１】
以下、本考案の実施形態について図面に基づき詳細に説明する。なお、同一部材については同一符号を付与している。図２において、人を識別するセンサを居室の出入口に設置した場合を例として説明する。居室で看護されている被看護者の身体部位、例えば、手首、足首、上着の襟又は胸ポケット等に、送信回路と電池を組み込んだＩＤチップにより、微弱な無線信号を連続又は断続して発信する送信器２が装着されている。居室の出入口には被看護者が踏むと検知信号を発する離床センサ３（マットセンサ）が設置されており、該離床センサ３から所定距離以内（例えば、２〜３ｍ以内）の任意位置に、前記送信器２を装着した被看護者が近づくと検知信号を出力する第一受信器４が設置されている。
【００２２】
また、前記居室内には、前記離床センサ３に被看護者が接触したときに生じる接点信号を受信して検知信号を制御部に出力する第二受信器５と、前記第一受信器４及び第二受信器５が同時間帯に検知信号を出力したときに、ＩＤ情報を含む制御信号を、別途設けられた報知器に送信する制御部６が設けられている。なお、前記第一受信器４、第二受信器５及び制御部６は単独で設けてもよいが、後述するコンソール７に組み込むことが可能である。前記離床センサ３は公知のものを使用し、その構造及び機能等は特許文献１（実用新案登録第３１７０３９６号公報）、特許文献２（特許登録第４４１４４６５号公報）、特許文献３（実用新案登録第３１６６８８２号公報）に示すとおりである。
【００２３】
被看護者が居室から出ようとして出入口に設置されている離床センサ３を足で踏むと、該離床センサ３に内蔵されている送信器から接点信号が第二受信器５に送信される。また、該第二受信器５からは制御部に対して出力信号１が送信される。このとき、離床センサ３も、必然的に所定距離以内となるため、第一受信器４からＩＤ情報を含んだ出力信号１が送信される。制御部６では第一受信器４及び第二受信器５から同時間帯に出力信号１を受信した場合に限り、別途設置されている報知器等にＩＤ情報を含んだ制御信号を送信する。
【００２４】
図３において、人を識別するセンサを居室のベッドに設置した場合を例として説明する。居室で看護されている被看護者の身体部位、例えば、手首、足首、上着の襟又は胸ポケット等に、送信回路と電池を組み込んだＩＤチップにより、微弱な無線信号を連続又は断続して発信する送信器２が装着されている。居室のベッド近傍には、前記送信器２を装着した被看護者が所定距離離隔すると検知信号を出力する第一受信器４が設置されている。また、前記居室内には、前記第一受信器４の検知信号が途絶したときに、ＩＤ情報を含む制御信号を、別途設けられた報知器に送信する制御部６が設けられている。なお、前記第一受信器４及び制御部６は単独で設けてもよいが、後述するコンソール７に組み込むことが可能である。
【００２５】
被看護者が居室のベッド近傍（正確には、第一受信器４）から所定距離以上離隔すると、該第一受信器４から出力されていたＩＤ情報を含んだ出力信号が途絶する。制御部６では第一受信器４からの出力信号の途絶を受けて、別途設置されている報知器等にＩＤ情報を含んだ検知信号を送信する。
【００２６】
図４に基づいて、本考案の制御部における検知信号処理手順の一例を説明する。なお、ＳＴＥＰ１とＳＴＥＰ２は逆順となってもよい。
ＳＴＥＰ１  被看護者に装着された送信器と第一受信器が所定距離以内になるとＩＤ情報を含む検知信号が第一受信器から出される。
ＳＴＥＰ２  被看護者が離床センサを踏むと、第二受信器から検知信号が出される。
ＳＴＥＰ３  第一受信器の検知信号と第二受信器の検知信号を同時間帯に検知した場合は、被看護者が移動したと判断する。
ＳＴＥＰ４  ＩＤ情報を含んだ制御信号を、報知器等に出力する。
【００２７】
図５において、ＩＤチップは電池２４で駆動される駆動回路２１、送信回路２２、ＩＤ番号を記憶させたＩＤ２３及びアンテナ２５より構成されている。このＩＤチップには２〜３チャンネルのＩＤ番号（個体を表す情報）を設定できるＩＤがあり、ＩＤの切替はＤＩＰスイッチ（１〜２ビット又は２〜３ビット）が使われている。これによって、無線信号に識別信号が加わり、受信器側で認識することができる。又、これにより混信を防止することができる。本考案のＩＤチップはボタン電池駆動としており、自ら電波を２〜３ｍまで飛ばすことができるように設計しているが、連続使用の場合は１年で電池交換することが望ましい。
【００２８】
図６において、送信器２からの出力信号をアンテナ４４で受信する受信回路４１と、ＩＤ番号を識別する識別回路４２と、ＩＤ番号を判定してＩＤ情報を含む検知信号を制御部６に出力する判定回路４３から構成されている。通常、この第一受信器４は後述するコンソール７に組み込まれる。
【００２９】
図７は、コードレス型離床センサを用いた被看護者監視装置の実施例である。２は被看護者に装着された送信器、３はコードレス型離床センサ、１１０は前記離床センサの出力信号、７はコンソール、１２０はコンソールからの制御信号、Ｔは制御信号が発信される時間、１３０はナースコール接続アダプタ、１４０はナースコール装置、１５０はチャイム、１６０は無線信号の送信器、１７０は信号電波、１８０は携帯端末である。前記コンソール７には、第一受信器４、第二受信器５及び制御部６が組み込まれている。
【００３０】
送信器２とコンソール７が所定距離以内に接近すると、コンソール７内の第一受信器４から出力信号１が出される。一方、離床センサ３に押圧力がかかっていない(被看護者が離床センサを足等で踏んでいない状態)では出力信号１１０は開であり、押圧力がかかると出力信号１１０は閉になる。出力信号１１０が開から閉になると、コンソール７に組み込まれた第二受信器５から出力信号１を出す。コンソール７に組み込まれた制御部６は、前記第一受信器４及び第二受信器５が同時に出力信号１，１を出力したときに、ＩＤ情報を含む制御信号を送信する。この制御信号１２０でナースコール接続アダプタ１３０、チャイム１５０及び送信器１６０を作動させる。なおナースコール接続アダプタ１３０、チャイム１５０又は送信器１６０のいずれかに接続するか、又はこれらを組み合わせて接続することができる。ナースコール接続アダプタ１３０は病院や施設に既存のナースコール装置１４０と連動させるためのもので、離床センサ３の作動により該ナースコール装置１４０を利用して音声、音又は表示灯で報知することができる。
【００３１】
なお、コンソール７とナースコールシステム等を有線で接続する場合は、施設内の専用線を使用したもの又は電灯線通信やモデムを含むものとする。送信器１６０は離床センサ３の作動を無線で伝達できるものであり、看護者が移動中であっても携帯端末１８０で場所を選ばずに音声、音又は表示灯で報知することができる。また、コンソール７は単に接続するだけの単機能のものと、離床センサ３の出力信号１１０の遅延や反転させる信号変換機能を有しているものを、用途に応じて選択することができる。
【００３２】
図８は、有線型離床センサを用いた被看護者監視装置の実施例である。２は送信器、３ａは有線型離床センサ、１９０は前記離床センサ３ａとコンソール７を接続するアダプタ、７はコンソール、１２０はコンソールの出力信号、Ｔは出力信号が発信される時間、１３０はナースコール接続アダプタ、１４０はナースコール装置、１５０はチャイム、１６０は無線信号の送信器、１７０は信号電波、１８０は携帯端末である。有線型離床センサを用いる場合は、離床センサ３ａとコンソール７間をアダプタ１９０で接続する必要がある。なお、アダプタ１９０とコンソール７の接続はケーブル又はプラグを用いる。その他の構成及び機能は図７と同様であるため説明は省略する。
【００３３】
図９は、被看護者が離床センサから離隔した場合に報知する被看護者監視装置の実施例である。この実施例では、離床センサ及び第二受信器は不要である。図９において、２は被看護者に装着された送信器、４は第一受信器、７はコンソール（前記第一受信器４をコンソールに組み込むことも可能）、１２０はコンソールの出力信号、Ｔは出力信号が発信される時間、１３０はナースコール接続アダプタ、１４０はナースコール装置、１５０はチャイム、１６０は無線信号の送信器、１７０は信号電波、１８０は携帯端末である。被看護者と第一受信器４が所定距離以内の場合は、検知信号はナースコール装置１４０、ブチャイム１５０又は携帯端末１８０等に報知されない。被看護者がコンソールから所定距離以上離隔すると、前記送信器２からの微弱な無線信号は第一受信器４又はコンソール７に組み込まれた第一受信器４が受信しなくなる。このとき、コンソール７に組み込まれた制御部は、ＩＤ情報を含む制御信号をナースコールシステム、チャイム及び携帯電話等に報知する。なお、ナースコールシステム、チャイム及び送信器等の構造及び機能は図７と同様であるため説明を省略する。
【００３４】
図１０において、コンソール７は、合成樹脂等で形成された筐体に被看護者に装着された送信器２からの出力信号を受信する第一受信器４、及び離床センサ３からの接点信号を無線受信或いは有線受信する第二受信器５が組み込まれており、前記出力信号１７を制御部６から制御信号として端末機器に送信するためのナースコール接続ユニット３１、無線ＬＡＮユニット３２、有線ＬＡＮユニット３３、電話回線ユニット３４またはＵＳＢユニット３５とのうち少なくとも１以上のユニットが組み込まれている。
【００３５】
一方、コンソール７自体から直接被看護者および被看護者の近傍にいる看護者に応答する機器として、マイク（マイクロフォン）１０、スピーカー１１、ブザー１２、表示器１３、電源表示ランプ１４および操作パネル１５が設けられており、コンソール７の電源は乾電池または充電池１６（ＤＣ電源）を用いている。なお、ＡＣ電源とＤＣ電源の２電源方式とすることも可能である。また、これらの入出力機器を制御するために制御部６（マイコン）２が組み込まれている。
【００３６】
第二受信器５は前記離床センサから送信された接点信号１７を受信し、その接点信号１７を検知信号として制御部６に伝送するものである。この接点信号１７はセンサの作動時間中（例えば、離床センサを足で踏んでいる間）だけ閉となる。
【００３７】
前記ナースコール接続ユニット３１にはジャックが設けられており、該ジャックと被看護者のベッド近傍に設置されているナースコール接続ジャック間をナースコール接続ケーブルで接続すれば、ナースコールシステムに接続することができる。このナースコールシステムを通じて、看護者等が予めコンソール７に登録した携帯電話にメッセージ（例えば、看護用機器ＩＤ，異常発生を示す警告文のテキストメッセージ、音声合成装置等を利用したボイスメッセージ等。以下同様）を送信するものである。
【００３８】
無線ＬＡＮユニット３２は、前記出力信号１７を制御部６から無線ＬＡＮルーターに無線送信するものであり、インターネットを通じて看護者等が予めコンソールに登録した携帯電話に前記メッセージを送信するものである。
【００３９】
ＬＡＮユニット３３はＬＡＮカードまたはＬＡＮボードであり、これにＬＡＮケーブルを接続して、ＬＡＮ接続された端末機器を通じて看護者等が予めコンソールに登録した携帯電話に前記メッセージを送信するものである。
【００４０】
電話回線ユニット３４には内蔵用ＰＣＩモデム等が組み込まれており、これに一般電話回線を接続して、看護者等が予めコンソールに登録した携帯電話に前記メッセージを送信するものである。なお、内蔵用ＰＣＩモデムに変えてソフトモデムを用いてもよい。ソフトモデムは、モデム側のハードウエアを簡略化し、マイコン側のＣＰＵで処理の多くを行うものである。
【００４１】
ＵＳＢユニット３５は、ＵＳＢ端子をもったインターネットカード，例えば、ＷｉＭＡＸ（商標登録）、ＷｉＣＯＭ（商標登録）等が提供しているものを挿入することで、インターネットに接続された端末機器を通じて看護者等が予めコンソール７に登録した携帯電話に前記メッセージを送信するものである。
【００４２】
マイク１０は、被看護者と看護者が会話をするための機器であり、被看護者がマイク１０に向かって喋ると、その音声が増幅器で増幅されて看護者に届くようになっている。一方、スピーカー１１は、被看護者と遠隔地にいる看護者が会話をするための機器で、看護者が喋る音声が増幅器で増幅されて被看護者に聞こえるようになっている。
【００４３】
ブザー１２は電子ブザーであり、被看護者の行動（例えば、ベッドから降りる）を、被看護者の近傍（例えば、居宅）にいる看護者に知らせるために設けられている。すなわち、人を識別するセンサは被看護者の行動をセンサが検知したときに出力信号１７を発信し、第一受信器４、第二受信器５を通じて制御部６に送信する。この制御部６は各種端末機器に前記メッセージを送信すると同時に、被看護者の近傍にいる看護者にも電子音（例えば、ピーピーピー）で被看護者の行動を報知するものである。
【００４４】
表示器１３は、ＬＥＤまたはＬＣＤで表示されており、例えば、数字４桁と英字３桁より構成されている。数字は看護用機器の接続情報、英字は端末機器の接続情報を表示するものである。前記数字４桁と英文字３桁の表示桁数は適宜設計変更することができる。なお、被看護者が装着する送信器２に内蔵されたボタン電池の取替時期を表示させる機能を追加してもよい。
【００４５】
電源表示ランプ１４は、コンソール７の電源をＯＮにすると点灯し、ＯＦＦにすると消灯するもので、電源表示ランプ１４の点灯によりコンソール７の稼動を確認することができる。操作パネル１５は、コンソール１の電源ＯＮ／ＯＦＦスイッチ、看護用機器スイッチ、端末機器スイッチが夫々設けられている。
【００４６】
図１１において、家庭又は看護施設等に人を識別するセンサが複数個設置されている。例えば、玄関、トイレ、勝手口、エレベータ前、ベッド、ベッド下、枕、階段下、居室出入口に設置されている。前記人を識別するセンサ１は、少なくとも１箇所以上に設置することが可能である。なお、人を識別するセンサ１とコンソール７が所定距離以内（例えば、３ｍ以内）であれば、複数個の人を識別するセンサ１に対して１個のコンソール７で作動するが、人を識別するセンサ１とコンソール７が所定距離以上（例えば、３ｍ以上）離隔している場合は、それに対応する複数個のコンソール７を設置する必要がある。
【００４７】
前記人を識別するセンサ１から出力される検知信号１７が有線または無線でコンソール７に送信される。コンソール７には、前記出力信号１７を端末機器に送信するための、ナースコール接続ユニット３１、無線ＬＡＮユニット３２、ＬＡＮユニット３３、電話回線ユニット３４、ＵＳＢユニット３５のうち、少なくとも１以上が設けられている。したがって、コンソール７に組み込まれた制御部でこの検知信号１７を制御・演算して、そのメッセージをナースコール接続ユニット３１、無線ＬＡＮユニット３２、ＬＡＮユニット３３、電話回線ユニット３４、ＵＳＢユニット３５のうち、いずれかの手段でインターネットに接続して、看護者が携帯する携帯電話５０にメッセージを送信し、これにより看護者は被看護者と直ぐに応答することが可能となる。
【００４８】
図１２において、送信器２は本体部５１と係止部５２より構成されている。本体部５１は、ＩＤチップを内蔵しているため強化プラスチック製で略方形に成型されており防水構造としている。なお、電池の収納部には蓋５３が設けられており、この蓋５３を取外すことにより容易に電池交換が可能な構造となっている。前記本体部５１は、衣服の襟、胸部、胸ポケット等に装着できるように本体部５１の背面にクリップ５４が設けられている。前記本体部５１の任意位置には、表示器５５が設けられており、電池の交換時期が近づいたときに、ＬＥＤによる点灯または発光により視認できるようになっている。なお、前記表示器５５を設けない構造とすること、又はコンソール側の表示器で表示する構造とすることも可能である。
【００４９】
図１３おいて、送信器２ａは本体部６１とベルト部６２より構成されている。本体部６１は、ＩＤチップを内蔵しているため強化プラスチック製で略方形に成型されており防水構造としている。また、本体部６１に内蔵された電池は容易に電池交換が可能な構造となっている。前記本体部６１は、人の手首や足首に巻着する平ベルト６３に固定されている。また、前記本体部６１の任意位置には、表示器６６が設けられており、電池の交換時期が近づいたときに、ＬＥＤによる点灯または発光により視認できるようになっている。なお、前記表示器６６を設けない構造とすること、又はコンソール側の表示器で表示する構造とすることも可能である。
【００５０】
前記平ベルト６３の一端部には平ベルト６３の巻着状態を保持する係止手段として、表面にラック（鋸歯状の戻り防止片）が形成されたラックベルト６４を設け、他の端部には前記ラックベルト６４を挿入する挿入溝６７が設けられている。ラックベルト６４を選択的に移動抑制する手段として、前記挿入溝６７の内部にラチェット（図示しない）が揺動自在に取付けられており、看護者等が保持しているリリースキー６５で開錠するとラックベルト６４は挿入溝６７より引き出すことができる。リリースキー６５で開錠しない状態ではラチェットがラックベルト６４の移動を抑制するので、一方向にのみ送り移動が可能となり、挿入溝６７の方向には進むが、挿入溝６７から引き出すことはできない。なお、ベルトの構造は前記に限定されるものではなく、リリースキー６５等の工具で開錠する構造であればよい。
【産業上の利用可能性】
【００５１】
本考案の人を識別するセンサは、無線ＩＣタグを内蔵した送信器を被看護者に携帯させた監視装置であるため、自宅や介護施設等において、被看護者の行動を識別して看護者等に報知する被看護者監視装置として広く利用することができる。
【符号の説明】
【００５２】
１  人を識別するセンサ
２，２ａ  送信器
３  離床センサ
４  第一受信器
５  第二受信器
６  制御部
７  コンソール
１０  マイク
１１  スピーカー
１２  ブザー
１３  表示器
１４  電源表示ランプ
１５  操作パネル
１６  充電池
１７  出力信号
２１  駆動回路
２２  送信回路
２３  ＩＤ
２４  電池
２５，４４  アンテナ
３１  ナースコール接続ユニット
３２  無線ＬＡＮユニット
３３  ＬＡＮユニット
３４  電話回線
３５  ＵＳＢユニット
４１  受信回路
４２  識別回路
４３  判定回路
５１、６１  本体部
５２  係止部
５３  蓋
５４  クリップ
５５，６６  表示器
６２  ベルト部
６３  平ベルト
６４  ラックベルト
６５  リリースキー
６７  挿入溝
１１０  離床センサの出力信号
１２０  コンソールからの制御信号
１３０  ナースコール接続アダプタ
１４０  ナースコール装置
１５０  チャイム
１６０  送信器
１７０  送信器からの出力信号
１８０  携帯端末
１９０  アダプタ
【図１】
0003178369.tif 000003
【図２】
0003178369.tif 000004
【図３】
0003178369.tif 000005
【図４】
0003178369.tif 000006
【図５】
0003178369.tif 000007
【図６】
0003178369.tif 000008
【図７】
0003178369.tif 000009
【図８】
0003178369.tif 000010
【図９】
0003178369.tif 000011
【図１０】
0003178369.tif 000012
【図１１】
0003178369.tif 000013
【図１２】
0003178369.tif 000014
【図１３】
0003178369.tif 000015